(57)【特許請求の範囲】
【請求項１】
送信器（１００）及び受信器（２００）を備える無線システムにおいて使用される伝送方法であって、送信器と受信器との間で接続を確立するのに使用され、異なる経路に沿って受信器（２００）に伝播する信号を伝送することを含み、信号が受信された後、異なる経路に沿って伝播してきた信号が受信器において合成される方法において、
少なくとも２つの信号が各々の接続に対して伝送され、それらの信号は受信器（２００）において合成されて、接続を形成し、測定される１つの信号にされ、伝送された信号の位相の最適性が、受信器の測定期間中はランダムな位相で信号を伝送し、且つ、それに続く測定期間中は所定の位相で信号を伝送して、これらの信号を受信器において品質分析することによって評価され、前記信号の伝送中に少なくともダウンリンク方向に伝送される信号の位相が測定及び評価に基づいて調整されることを特徴とする方法。
【請求項２】
接続を形成する信号はそれら自体のアンテナで伝送され、それらのアンテナは、信号強度の最小ポイントを含む共通のアンテナビームを生成し、位相調整はこれらの最小ポイントの信号強度を増大する請求項１に記載の方法。
【請求項３】
信号はそれら自体のアンテナで伝送され、それらのアンテナは、共通のアンテナビームであって、そのアンテナビームに対して信号が伝送されるようなアンテナビームを形成し、位相調整は、アンテナビームのエリア内で信号を受信できるように、ダウンリンク方向で少なくとも１つの信号を伝送できるようにする請求項１に記載の方法。
【請求項４】
位相に加えて、信号の増幅及び遅延もまた調整される請求項１に記載の方法。
【請求項５】
受信器（２００）によって受信された信号が測定され、測定された信号に関するデータが送信器（１００）に伝送され、伝送の最適性が測定に基づいて評価され、伝送される信号が、評価から得られたデータに基づいて調整される請求項１に記載の方法。
【請求項６】
受信された信号の品質は、例えば、ＢＥＲ、Ｓ／Ｎ比、もしくは、信号レベルの測定によって測定され、伝送される信号は、測定から得られたデータに基づいて調整される請求項１に記載の方法。
【請求項７】
接続が確立された後に、少なくとも１つの信号の位相が調整される請求項１に記載の方法。
【請求項８】
接続の確立後に、調整で使用される位相が、少なくとも１つの信号が所定の位相シフトで変更され、少なくとも１つの信号の位相がランダムな位相シフトで変更されるといったように決定される請求項１に記載の方法。
【請求項９】
受信器によって受信された信号が、信号制御パラメータが一定に維持される所定の測定期間中に測定される請求項１に記載の方法。
【請求項１０】
合成された信号の強度が所定の閾値よりも下であり続ける場合には、調整の中で、信号の位相がランダムに変更される請求項１に記載の方法。
【請求項１１】
受信器（２００）によって受信された信号が所定の測定期間中に測定され、伝送で使用される位相の最適性が、測定を作動する信号を受信器（２００）に伝送することによって、信号のいくつかはランダムに選定された位相で伝送され、信号のいくつかは所定の位相で伝送されるといったように評価され、その後、受信器（２００）によって受信された信号の品質が比較され、伝送される信号が比較に基づいて調整される請求項１に記載の方法。
【請求項１２】
信号がバーストから成る場合、各々のバーストが別個に調整される請求項１に記載の方法。
【請求項１３】
信号がバーストから成る場合、少なくとも１つのバーストの位相が、前記バーストで使用される位相の最適性を試験するために調整される請求項１に記載の方法。
【請求項１４】
送信器の送信電力が最小である時、信号が調整される請求項１に記載の方法。
【請求項１５】
送信器（１００）及び受信器（２００）を備える無線システムであって、送信器及び受信器は、それらが伝送した信号で互いに通信し、信号は異なる経路に沿って送信器（１００）から受信器（２００）へ伝播し、受信器は、異なる経路に沿って伝播してきた信号を受信後に合成するための手段（２０１）を備える無線システムにおいて、各々の接続に対して、手段（２０１）において合成されて１つの信号にされる少なくとも２つの信号を伝送するための送信手段（１０１）と、合成された信号を測定し、伝送された信号の最適性を評価するための測定手段（２０２）と、信号の合成中に信号の累積を減らすために、測定及び評価に基づいて、少なくとも送信手段（１０１）による信号の伝送中にダウンリンク方向に伝送される信号の位相を調整する制御手段（１０２）とを備え、前記送信手段（１０１）が、受信器の測定期間中はランダムな位相で信号を伝送し、且つ、それに続く測定期間中は所定の位相で信号を伝送して、前記測定手段（２０２）が、これらの信号の品質分析を実行するようにして、前記測定手段（２０２）は伝送された信号の最適性を評価することを特徴とする無線システム。
【請求項１６】
前記無線システムはいくつかのアンテナ（１０８）を備えており、送信手段（１０１）は接続を形成する各々の信号を別個のアンテナ（１０８）で伝送する請求項１５に記載の無線システム。
【請求項１７】
前記無線システムはいくつかのアンテナ（１０８）を備えており、同一の接続を形成するために使用されるアンテナ（１０８）は、信号強度の最小ポイントを含む共通のアンテナビームを生成し、制御手段（１０２）はこれらの最小ポイントの信号強度を増大する請求項１５に記載の無線システム。
【請求項１８】
位相に加えて、制御手段（１０２）は、伝送される信号の振幅及び遅延を調整する請求項１５に記載の無線システム。
【請求項１９】
前記無線システムは、測定された信号に関するデータを制御手段（１０２）に伝送するための送信手段（２０３）を備えており、その制御手段は、評価から得られたデータに基づいて、受信器（２００）に伝送される信号を調整する請求項１５に記載の無線システム。
【請求項２０】
評価手段（１０３）は、測定手段（２０２）によって実施されたＢＥＲ、Ｓ／Ｎ比、もしくは、信号レベルの測定に基づいて、受信器（２００）によって受信された信号の品質を評価する請求項１９に記載の無線システム。
【請求項２１】
制御手段（１０２）は、接続が確立された後、少なくとも１つの信号の位相を変更する請求項１５に記載の無線システム。
【請求項２２】
制御手段（１０２）は、少なくとも１つの信号の位相を所定の位相シフトで変更し、また、少なくとも１つの信号の位相をランダムな位相シフトで変更する請求項１５に記載の無線システム。
【請求項２３】
測定手段（２０２）は、制御手段（１０２）が測定される信号の制御パラメータを一定に維持する所定の測定期間中、受信器（２００）によって受信された信号を測定する請求項１５に記載の無線システム。
【請求項２４】
合成された信号の強度が所定の閾値よりも下であり続ける時、制御手段（１０２）は信号の位相をランダムに変更する請求項１５に記載のシステム。
【請求項２５】
評価に基づいて、送信手段（１０１）は、信号のいくつかはランダムに選定された位相で伝送され、信号のいくつかは所定の位相で伝送されるといったように、測定を作動する信号を測定手段（２０２）に伝送し、その後、測定手段（２０２）は、受信器（２００）によって受信された信号の品質を比較する請求項１５に記載の無線システム。
【請求項２６】
送信手段（１０１）によって伝送される信号がバーストから成る場合、制御手段（１０２）は各々のバーストを別個に調整する請求項１５に記載の無線システム。
【請求項２７】
送信手段（１０１）によって伝送される信号がバーストから成る場合、制御手段（１０２）は少なくとも１つのバーストの位相を調整して、使用される位相の最適性を試験する請求項１５に記載のシステム。
【請求項２８】
送信器（１００）の送信電力が最小である場合、制御手段（１０２）は信号を調整する請求項１５に記載の無線システム。
【請求項２９】
送信器（１００）は基地局であり、受信器（２００）は加入者端末である請求項１５に記載の無線システム。
【発明の詳細な説明】
発明の分野
本発明は、送信器及び受信器を備える無線システムにおいて使用される伝送方法に関する。この方法は、送信器と受信器との間で接続を確立するのに使用され、異なる経路に沿って受信器に伝播する信号を伝送することを含んでいる。この方法では、異なる経路に沿って伝播してきた信号は、信号が受信された後に受信器において合成される。
発明の背景
一般的に、セルラー方式無線システムは異なるダイバーシティ方法を使用して、状況が変化する中で、基地局と加入者端末との間の接続の品質を改善する。基地局は、いくつかの異なるアンテナを使用して、ダウンリンク方向に、加入者端末に対して信号を伝送することができる。ダイバーシティ合成は、特に信号フェージングによって引き起こされる不都合を減らす。ダイバーシティ方法では、互いに相関しないいくつかの受信された信号に含まれるのが好ましい情報が合成される。複数経路受信では、最も一般的なダイバーシティ受信器が、信号を検知の前もしくは後に合成する。一般的に、複数経路信号は例えばビタビ検知によって検知される。
一般的に、基地局と加入者端末との間の接続品質は、例えば、加入者端末が移動する速度及び伝送アンテナ間の距離によって変化する。接続品質に影響を与える別の要因は、例えば、信号を反射し、従ってそこで遅延を引き起こす無線経路上の障害物である。
一般的に、無線システムにおいて使用される受信器は、１もしくはいくつかのレーキブランチから成るいわゆるレーキ受信器である。各々のブランチは、１つの受信された信号成分を組み立てて復調する機能を有する独立の受信器ユニットである。各々のブランチを個々の経路に沿って伝播してきた信号成分と同期させることができる。従来の受信器では、受信器ブランチからの信号は、良好な品質の信号を得るために合成される。しかしながら、信号の合成は常には実現可能な最良の信号を提供しない。いくつかの場合には、合計信号を形成する信号成分は、信号の合計が信号容量を劣化させるようなステージで受信される。
既知の無線システムでは、加入者端末が基地局に伝送した信号に基づいて、基地局のダウンリンクのアンテナビームが伝送される。このようなダウンリンクビームステアリング方法はＤＯＡ（Direction of Arrival（着信の方向））方法と呼ばれる。たとえ、アップリンク信号とダウンリンク信号は同一の周波数を有しなくても、ビームステアリングは、加入者端末によって基地局に伝送された信号に基づいて実施される。これは、ステアリングが正確でないことを意味する。実際にダウンリンク方向とアップリンク方向は同一ではないので、位相較正が基地局のＴＸ部分とＲＸ部分との間で必要とされる。もし、いくつかのアンテナが信号の伝送のために同時に使用されるならば、アンテナの合計されたアンテナビームはまさにストライプ形状となり、これは、特に信号の受信において問題を引き起こす。また、いくつかの伝送アンテナに共通なアンテナビームはシャドウエリアを含み、これは、基地局と加入者端末との間の接続に関する問題を引き起こす。
発明の概要
本発明の目的は、前記問題を解決できる伝送方法及び無線システムを提供することである。
これは、導入部で説明されるタイプの伝送方法で達成され、この方法は、少なくとも２つの信号が各々の接続に対して伝送され、信号は受信器において合成されて、接続を形成し、測定される信号となり、伝送された信号の位相の最適性が評価されて、少なくともダウンリンク方向で伝送される信号の位相が測定及び評価に基づいて調整されることを特徴とする。
本発明はまた送信器及び受信器を備える無線システムに関し、それらの送信器及び受信器は、それらが伝送した信号で互いに通信し、それらの信号は異なる経路に沿って送信器から受信器に伝播し、その受信器は、異なる経路に沿って伝播してきた信号を受信の後に合成するための手段を備える。
本発明に従う無線システムは、各々の接続に対して、手段で合成されて１つの信号にされるような少なくとも２つの信号を伝送する伝送手段と、合成された信号を測定し、伝送の最適性を評価するための評価手段と、信号の合成中に信号の累積を減らすために、測定及び評価に基づいて、少なくとも送信手段による信号の伝送中にダウンリンク方向に伝送される信号の位相を調整する制御手段とを備える。
本発明の好ましい実施形態は従属請求項に開示されている。
本発明は、送信器のアンテナビームを、受信器によって受信された信号の測定から受信されたデータに基づいて変更し、受信器が最適な信号を受信できるようにするという思想に基づいている。
本発明に従う伝送方法及び無線システムはいくつかの利点を提供する。この方法によって、受信器で受信された信号は、受信器によって提供される測定報告に基づいて調整される。もし、必要であれ、非常にゆっくりと調整を実施できる。この方法は、状況に応じて、約３ｄＢから８ｄＢだけダウンリンク方向で性能を改善する。また、ダウンリンク方向の性能が合成されていない信号の性能よりも下になるといったような従来の方法では起こり得るようなことが起こらないように、調整は適応性をもって実施される。送信器のアンテナビームは、受信器で受信された信号に基づいて伝送されるので、受信器は最適な信号を受信する。この方法によって、移動加入者端末であっても、加入者端末に適合する良好な品質の信号を受信できる。
【図面の簡単な説明】
添付図を参照して、好ましくい実施態様に関して、本発明をより詳細に説明する。
図１は、本発明に従う方法を使用する無線システムを示す。
図２は、１つのアンテナによって形成されるアンテナビームを示す。
図３は、２つのアンテナによって形成されるアンテナビームを示す。
図４は、２つのアンテナによって形成されるアンテナブームのシャドウエリアを示す。
図５はトランシーバの基本構成を示す。
図６は本発明に従う無線システムをより詳細に示す。
発明の詳細な説明
図１は、送信器１００、受信器２００、基地局コントローラ３００を備える無線システムを示す。図の例では、送信器は基地局であると仮定され、受信器は加入者端末であると仮定されている。しかしながら、実際には、基地局及び加入者端末の両方がトランシーバとして動作する。基地局コントローラ３００は送信器１００と通信し、それらについての動作を制御する。図に示される装置では、基地局コントローラはＰＳＴＮと通信する。送信器は１もしくはいくつかのアンテナ１０８を備える。アンテナ１０８のアンテナビームは、受信器２００が送信器１００によって伝送された信号を受信できる無線システムのエリアを形成する。
図２は、アンテナ１０８によって形成されるアンテナビームすなわち指向性パターンを示す。アンテナビームは、送信器の所望の主要なカバレージエリアに向けて伝送されるメインビームを含む。通常の状況では、カバレージエリアの信号強度は、受信器への接続を確立できるといったような強度である。無線システムは信号フェージングを生じやすいので、例えば、送信器は、いくつかのアンテナ１０８を使用することによって、送信器１００が受信器２００へのより良い接続を形成できるようにする信号を伝送できる。
図３は、信号の伝送において使用される２つのアンテナによって形成されるアンテナビームを示す。明らかに、アンテナビームのポイントＡは最小ポイントを含む。最小ポイントは信号の累積の結果である。
図４は、最初ポイントの結果であり、Ｂで示されるシャドウエリアを含むアンテナビームを示す。シャドウエリアでは、信号強度は、送信器１００と受信器２００との間の接続を確立するためには不十分であろう。たとえば接続を確立できても、それは中断されてしまうであろう。
図５は、無線システムにおいて使用される送信器１００及び受信器２００の基本構成を示す。より詳細には、図はトランシーバとして動作する基地局を示す。トランシーバはアンテナ１０８、無線周波数部分１１２、復調器１１３、デコーダ１１４を備える。トランシーバはまたコーダー１２２、変調器１２３、無線周波数部分１２４を備える。加入者端末１００はまた前記部分のその動作を制御する制御手段１０２を備える。実際には、図に示されるアンテナ１０８は送信アンテナと受信アンテナの両方として動作する。
トランシーバの無線周波数部分１１２は、アンテナ１０８から供給された無線周波数アナログ信号を中間周波数に変え、信号をフィルタする。無線周波数部分１１２はまた中間周波数信号を検知する。復調器１１３は広帯域信号を狭帯域データ信号に復元できる。データ信号は適切な方法でデコーダ１１４でデコードされる。デコーダ１１４は、一般的に、コンボルーショナルコーディングされている信号をデコードする。デコーダ１１４の動作は、例えばビタビアルゴリズムに基づく。また、一般的に、デコーダ１１４は、事前処理された信号のスクランブルを解き、インターリーブを解く。もし、トランシーバが加入者端末であるならば、信号はデコーダ１１４から、例えばヘッドホンに供給される。
コーダー１２２は、コーダーが受信した信号をコンボルーショナルコーディング及びスクランブリングすることができる。コーダー１２２はまた信号のビットもしくはビットシーケンスをインターリーブする。また、変調器１２３において、コンボルーショナルコーディングされた信号を擬似−ノイズコーディングして、広帯域拡散スペクトル信号にすることができる。その後、無線周波数部分１２４において、拡散スペクトル信号は既知の方法に従って無線周波数信号に変換され、アンテナ１０８を介して無線経路に伝送される。もし、トランシーバが加入者端末であるならば、コーダー１２２はマイクロホンからオーディオ信号を受信する。
図６は、本発明に従う方法を使用する無線システムを示す。送信器１００に加えて、無線システムは送信手段１０１及び制御手段１０２を備える。図に示される装置では、前記手段１０１及び１０２は送信器すなわち基地局１００に接続されている。実際には、手段１０１、１０２は基地局にある。無線システムはまた受信器２００、手段２０１、測定手段２０２を備える。図に示される装置では、手段２０１及び２０２は受信器２００に接続される。実際には、これらの手段２０１、２０２は受信器２００に設置する。
図に示される装置では、送信手段１０１は受信器２００に信号を伝送する。送信器１００は、送信手段１０１によって伝送される信号１１０、１１１を介して受信器２００と通信する。各々の信号は異なるアンテナで伝送される。実際には、信号は送信器１００から受信器２００へ異なる経路に沿って伝播する。何故ならば、一般的に、無線経路上には異なる障害物があり、信号はこれらの障害物から反射されるからである。反射は、例えば高層ビルディングによるものである。異なる経路に沿って伝播してきた信号は手段２０１において合成される。信号の合成は、例えば、より良い品質を有する信号を形成できるようにする。もし、受信器２００によって受信された信号間に十分な位相差異があるならば、信号は合成において累積する。信号に累積は信号強度を減らす。
制御手段１０２は、信号が送信手段１０１によって伝送される前に信号の位相を調整し、信号を累積することなく合成できるようにする。位相に加えて、制御手段１０２はまた、伝送される信号の振幅及び遅延を調整して、信号の累積を更に減少できるようにすることも可能である。
制御手段１０２による信号の調整は、特に、いくつかのアンテナ１０８によって形成されるアンテナビームに生じる最小ポイントをしばしば減少する。最良の場合、調整は最小ポイントの発生を完全に防ぐことができ、これは、順に、送信器のカバレージエリア内の送信器と受信器との間の通信を改善する。調整はシャドウエリアの発生を減らし、防止する。調整は、受信器２００が十分に強い信号を受信できるように、ダウンリンク方向で伝送される少なくとも１つの信号を伝送できるようにする。調整はまた適応効果を有する。これは、受信器が単一の信号よりも約３ｄＢから８ｄＢ強い信号を受信できることを意味する。実際には、制御手段１０２は送信器の変調器１２３にある。制御手段はまた中間周波数もしくは無線周波数部分１２４にあっても良い。
測定手段２０２は受信された信号を評価して測定する。評価は、例えば、ＢＥＲ、ＳＮ比、もしくは、信号レベルの測定によって実施される。所定の測定期間中、測定手段２０２は信号を測定する。測定期間中、制御手段１０２は信号の調整を停止させられる。これは、測定される信号の制御パラメータが一定に維持されることを意味する。測定期間の長さは例えば４８０ｍｓである。一般的に、測定期間はＳＡＣＣＨ上でマルチフレームの中で一度伝送される。測定後、受信器２００は、信号２０９を介して測定の結果を送信器１００に伝送する。制御手段１０２は、測定手段２０２によって実施された測定に基づいて、伝送される信号１１０、１１１を調整する。
無線システムは、評価の信頼性を評価するための評価手段１０３を備える。これを、手段１０３が、評価から得られたデータを、送信器１００によって受信された受信器２００からの信号と比較するといったように実行することができる。伝送で使用される位相の最適性は、測定を作動させる信号を測定手段２０２に伝送することによって評価される。送信手段１０１は信号のいくつかをランダムに選定される位相で伝送する。送信手段１０１はまた信号のいくつかを所定の位相で伝送する。その後、測定手段２０２は、様々に伝送された信号の品質を比較する。
制御手段１０２は、必ずしも、伝送される信号の全てを調整する必要はない。制御手段１０２は、例えば１つの信号だけを調整する。制御手段１０２は、少なくとも１つの信号であるのが好ましい信号の位相を所定の位相シフトで変更する。制御手段１０２はまた少なくとも１つの信号の位相をランダムな位相シフトで変更する。合成された信号の強度が所定の閾値よりも下であり続ける場合は、制御手段１０２は信号の位相をランダムに変更できる。制御手段１０２は、特にＴＣＨ以外の他のチャネルの位相をランダムに調整する。上記の状況では、制御手段１０２は、伝送される信号の位相差異が３６０°にわたるようなレベルまで遅延を調整する。特に、適合ステージ中に、伝送される信号について、適切な位相差異が見つけられない場合には、ＴＣＨについてもランダムに変化する位相及び遅延を使用することができる。
送信手段１０１は、信号の大部分を、受信器２００が信号を実質的に最少の累積で形成するような位相で伝送する。送信手段１０１は、相関なしであるのが好ましい合成される信号を伝送する。これは、指向性パターンの最小ポイントの形成を減少できることを意味する。もし、信号間に遅延差異がなく、信号の位相だけが変更されるならば、信号は少なくとも短い期間中相関し得る。制御手段１０２は信号の位相を時々調整して、その結果、信号を伝送するための最適な位相を探し出すことができる。しかしながら、送信手段１０１は、信号のわずかな部分だけを、尚一層最適な位相を見つけるのに使用される位相で伝送する。
送信手段１０１によって伝送される信号は、例えばバーストから成る。このような場合には、制御手段１０２は各々のバーストを別個に調整する。送信器の送信手段１０１の送信電力が実質的に最小である場合に調整されるバースト−特定の位相を制御手段１０２に定めることができる。この調整は、送信器の送信電力が完全に切られている時に実施されるのが好ましく、それによって、過渡状態の形成を避けることができる。本発明に従う伝送方法は、特にＳＤＭＡ（Space Division Multiple Access（空間分割多元接続））及びＣＤＭＡ方法において使用するのに適用可能である。本発明に従う方法が既知のエラー訂正アルゴリズムで使用される場合、受信された信号の品質は更に改善される。
送信器１００及び受信器２００が接続を確立すると、制御手段１０２は１もしくはいくつかのバーストの位相を変更する。これは、使用される位相の最適性を試験することを意図されている。上記のバースト以外の他のバーストの位相はランダムな位相で変更される。８バーストの内の７バーストが同一の位相に維持され、１バーストが、バーストで使用される位相の最適性を試験するために使用されるのが好ましい。試験される位相は、測定手段１０３が信号を評価する少なくとも１測定期間中一定に維持される。
全ての位相が試験されると、受信器は、最良の品質で信号を受信器２００に提供する位相に関するデータを送信器に伝送する。データは信号２０９によって伝送される。それから、制御手段１０２は、測定に基づいて決定された位相の使用を開始する。もし、受信器に最小の信号を提供する位相が最初に探し出されるならば、最適な信号は、最小の信号を提供する位相から１８０°に位置すると仮定できる。従って、受信器によって受信された信号の強度の最小もしくは最大のポイントのどちらかを探し出すことによって、最適な位相を決定することができる。
制御手段１０２が最適な位相を使用する場合、バーストの大部分は同一の位相で伝送され、バーストのいくつかだけが試験をするために使用される。しかしながら、この時点では、全ての位相を詳細に調べる必要はない。最良の接続を提供しそうな位相に集中すれば十分である。もし、受信器が高速に移動するか、伝送された信号が何度か反射されるならば、制御手段１０２は信号の位相をランダムに変更する。この状況では、アップリンク方向から評価された相関評価であって、その相関評価に基づいて、ダウンリンク方向の相関を評価することも同様に可能であるような相関評価を使用することも可能である。
この方法で決定される伝送で使用される最良の信号の位相の信頼性が高ければ高い程、送信手段１０１によって、この位相で伝送される信号の割合はますます大きくなる。使用される位相の最適性は、受信器の測定期間をランダムな位相で伝送し、また、次の測定期間を固定の位相で伝送することによって評価される。次に、受信器によって受信された信号の品質が比較される。もし、受信された信号間の品質に大きな差異があるならば、相応して、使用される位相評価もまたより良い。正しい位相の評価が不確かであればある程、制御手段１０２は位相をより大きく変更する。
本発明に従う伝送方法では、適応性のある時分割比を使用することができる。状況に応じて、最適な位相角度に伝送される信号もしくはバーストの数は位相決定の信頼性に基づいて変更される。バーストのいくつかは最適な位相を探し出すことを目的とする試験をするために使用される。試験をするために使用されるバーストの数は非常に少ないので、この試験は接続を干渉しない。信号及びバーストの数は、選定された位相が非常に信頼できる場合には信号の殆どが選定された位相で伝送されるといったように、選定された位相の信頼性に基づいて変更される。インターリーブされた信号もしくはバーストの可能性のある分布を例示する表を以下に示す。
0003930059.tif 000002
もし、アップリンク方向に基づいて成された決定の信頼性に関するデータが使用不可であるならば、８バーストに内の７バーストはランダムな位相で伝送され、１バーストは試験をするために使用される。選定された位相がほぼ正しい位相であり、信号のＳ／Ｎ比が十分に高い場合には、８バーストの内の７バーストは選定された位相で伝送され、１バーストは試験をするために使用される。
添付図に従って、例を参照して、本発明を上記に説明したけれども、本発明はそれらに限定されず、添付の請求の範囲に開示された本発明の思想の範囲内で様々な方法で変更され得ることは明らかである。
【図１】
0003930059.tif 000003
【図２】
0003930059.tif 000004
【図３】
0003930059.tif 000005
【図４】
0003930059.tif 000006
【図５】
0003930059.tif 000007
【図６】
0003930059.tif 000008